(57)【特許請求の範囲】
【請求項１】
複数のキーが纏めて収納できるキーホルダであって、互いに対向する一対の側板からなるホルダ本体と、前記側板の間に設定された複数個所のキー回動中心と、前記側板の対向面に鏡対称となるように形成され、かつ前記キー回動中心を結ぶ中心線に対し所定角度傾斜されていると共に、一端側が前記キー回動中心付近に達し、他端側は前記側板の両側面にそれぞれ開口する挿入口に連通する複数のガイド溝と、両端部に設けられた移動子を前記挿入口より前記ガイド溝内に挿入することにより前記各側板を結合状態に保持することができ、かつ複数のキーを着脱自在に取り付けることにより前記側板間に前記キーを収納することができるキー取り付けピンとを具備したことを特徴とするキーホルダ。
【請求項２】
前記ガイド溝を、前記側板の対向面側の幅が狭く、かつ底面側の幅が広いＴ溝または蟻溝により形成してなる請求項１に記載のキーホルダ。
【請求項３】
前記キー取り付けピンを、一端側に二面幅を有する多角形状の前記移動子が形成された雌ねじピンと、一端側に二面幅を有する多角形状の前記移動子が形成され、他端側が前記雌ねじピンに螺挿自在な雄ねじピンとから構成してなる請求項１または２に記載のキーホルダ。
【請求項４】
前記キー回動中心付近の前記ガイド溝側面に、前記移動子が通過する毎にクリック感が得られ、かつ前記キー回動中心に達した前記移動子を係止する係止突起を突設してなる請求項１ないし３の何れかに記載のキーホルダ。
【発明の詳細な説明】
【技術分野】
【０００１】
本発明は、ホルダ本体に対しキーの脱着が容易なキーホルダに関する。
【背景技術】
【０００２】
従来複数のキーを所持する場合、これらのキーを紛失しないようにキーホルダに纏めて収納することが多く、また複数のキーがコンパクトに収納できるキーホルダとして、例えば特許文献１に記載の「キーホルダ」が公知となっている。
特許文献１に記載のキーホルダは、キーを使用しないときはキーをカバーに収納しておき、キーを使用するときには、カバーの切欠きから露出しているキーの部分を摘んで引き起こし、雌ねじピンのボスを支点にしてキーを回動させて、キーをカバーから露出させるように構成されている。
そして、カバーを握ってキーのカバーから露出した部分を錠の鍵穴に挿入し、カバーを回転させることにより錠を開閉するようになっており、キーをカバーに収納すると、キーがカバー内に完全に収まった状態になるため、複数のキーをコンパクトに纏めることができる等の効果を有している。
【先行技術文献】
【特許文献】
【０００３】
【特許文献１】特開２００２−２９５０７０号公報
【発明の概要】
【発明が解決しようとする課題】
【０００４】
しかし前記特許文献１に記載のキーホルダでは、次のような問題がある。
すなわち日常使用するキーは、錠を替えたり錠の数を増減した場合、キーの数が増減するため、複数のキーを纏めて所持するキーホルダは、キーの増減に容易に対応できる方が使い勝手がよい。
しかし前記特許文献１に記載のキーホルダではキーを増減する場合、キーをカバーに取り付けている雌ねじピンと雄ねじピンをドライバのような工具を使用して分離し、この状態でキーとスペーサを入れ替えたら、再び雌ねじピンと雄ねじピンを工具で螺合して複数のキーをカバーに取り付ける作業を必要とする。
このためカバーに対しキーを脱着する作業が煩雑な上、キーを増減するのに工具を必要とするため、工具が手近にない場合キーの増減ができない問題がある。
【０００５】
また雌ねじピンと雄ねじピンの頭部がカバーの表面に露出しているため、キーホルダをポケットやバッグに入れて携帯していると、雌ねじピンや雄ねじピンの頭部が布等と擦れて雌ねじピンと雄ねじピンの締結状態が緩み、雌ねじピンや雄ねじピンが脱落して複数のキーがバラバラになったり、キーを紛失する原因となる問題がある。
雌ねじピンと雄ねじピンを強く締結すれば、複数のキーがバラバラになったり、キーを紛失する等の問題は少なくなるが、キーの把持部（キーヘッド）が互いに強く圧着されるため、カバーよりキーの出し入れが容易にできなくなくなったり、カバーからキーを引き出す際、目的以外のキーまでカバーから出てきてしまい、使い勝手が悪くなる等の問題がある。
本発明はかかる従来の問題を改善するためになされたもので、ホルダ本体に対しキーの脱着が容易なキーホルダを提供することを目的とするものである。
【課題を解決するための手段】
【０００６】
本発明のキーホルダは、複数のキーが纏めて収納できるキーホルダであって、互いに対向する一対の側板からなるホルダ本体と、側板の間に設定された複数個所のキー回動中心と、側板の対向面に鏡対称となるように形成され、かつキー回動中心を結ぶ中心線に対し所定角度傾斜されていると共に、一端側が前記キー回動中心付近に達し、他端側は側板の両側面にそれぞれ開口する挿入口に連通する複数のガイド溝と、両端部に設けられた移動子を挿入口よりガイド溝内に挿入することにより各側板を結合状態に保持することができ、かつ複数のキーを着脱自在に取り付けることにより側板間にキーを収納することができるキー取り付けピンとから構成したものである。
【０００７】
前記構成により、キーを増減するのに工具を必要としないため、工具が手近にない場合でもキーの増減が容易に行える上、キー取り付けピンの両端部に設けられた移動子がホルダ本体の表面に露出しないため、キーホルダをポケットやバッグに入れて携帯しても、移動子が布等と擦れて雌ねじピンと雄ねじピンの締結状態が緩むことがなく、これによって雌ねじピンや雄ねじピンが脱落して複数のキーがバラバラになったり、キーを紛失することもない。
また雌ねじピンと雄ねじピンを強く締結する必要がないためキーの頭部が互いに強く圧着されることがなく、これによってホルダ本体よりキーの出し入れが容易に行えると共に、ホルダ本体からキーを引き出す際、目的以外のキーまでカバーから出てくることがないため、キーホルダとしての使い勝手もよい。
【０００８】
本発明のキーホルダは、ガイド溝を側板の対向面側の幅が狭く、かつ底面側の幅が広いＴ溝または蟻溝により形成したものである。
【０００９】
前記構成により、キー取り付けピンの両端部に設けられた移動子がガイド溝より抜け出すことがないため、結合する手段を必要とせずに両側板を結合することができ、これによってホルダ本体の構造の簡素化と低コスト化が図れるようになる。
【００１０】
本発明のキーホルダは、キー取り付けピンを一端側に二面幅を有する多角形状の移動子が形成された雌ねじピンと、一端側に二面幅を有する多角形状の移動子が形成され、他端側が雌ねじピンに螺挿自在な雄ねじピンとから構成したものである。
【００１１】
前記構成により、ガイド溝の両側面に二面幅がガイドされるため、ガイド溝内での移動子の移動が円滑に行える上、ガイド溝内で移動子が回転することがないので雌ねじピンと雄ねじピンの締結状態が緩むことがなく、これによって雌ねじピンや雄ねじピンが脱落して複数のキーがバラバラになったり、キーを紛失することもない。
【００１２】
本発明のキーホルダは、キー回動中心付近のガイド溝側面に、移動子が通過する毎にクリック感が得られ、かつキー回動中心に達した移動子を係止する係止突起を突設したものである。
【００１３】
前記構成により、移動子が係止突起を乗り越える際にキーを握った手にクリック感が得られるため、移動子を確実にキーの回動中心に移動できる上、キーの取り付けが完了すると、係止突起により移動子がガイド溝に沿って移動するのを係止するため、ホルダ本体よりキーを引き出して使用する際に、キーがホルダ本体内より不用意に抜け外れることがない。
【発明の効果】
【００１４】
本発明のキーホルダによれば、キーを増減するのに工具を必要としないため、工具が手近にない場合でもキーの増減が容易に行える上、キー取り付けピンの両端部に設けられた移動子がホルダ本体の表面に露出しないため、キーホルダをポケットやバッグに入れて携帯しても、移動子が布等と擦れて雌ねじピンと雄ねじピンの締結状態が緩むことがない。
また雌ねじピンと雄ねじピンを強く締結する必要がないためキーの頭部が互いに強く圧着されることがなく、これによってホルダ本体よりキーの出し入れが容易に行えると共に、ホルダ本体からキーを引き出す際、目的以外のキーまでカバーから出てくることがないため、キーホルダとしての使い勝手もよい。
【図面の簡単な説明】
【００１５】
【図１】本発明の実施の形態になるキーホルダの使用状態を示す平面図である。
【図２】本発明の実施の形態になるキーホルダの側面図である。
【図３】本発明の実施の形態になるキーホルダの一方の側板を外した状態を示す平面図である。
【図４】本発明の実施の形態になるキーホルダの分解斜視図である。
【図５】図２のＡ−Ａ線に沿う断面図である。
【図６】本発明の実施の形態になるキーホルダのガイド溝と移動子の寸法関係を示す説明図である。
【図７】本発明の実施の形態になるキーホルダの一方の側板の内面図である。
【図８】図７のＢ円内の拡大図である。
【図９】本発明の実施の形態になるキーホルダの側板に設けられた係止突起の変形例を示す斜視図である
【発明を実施するための形態】
【００１６】
本発明の実施の形態を、図面を参照して詳述する。
図面に示すホルダ本体１は、長方形状の板体により形成された一対の側板２からなり、全体が例えばステンレス等の腐食しにくい金属や、強度の高い合成樹脂等により形成されている。
各側板２の角部は、ホルダ本体１を握ったり、携帯した際に違和感がないよう小Ｒ状に面取りされており、各側板２の対向面には、互いに鏡対称となるよう２本のガイド溝２ａ，２ｂがそれぞれ形成されている。
これらガイド溝２ａ，２ｂは、ホルダ本体１に対し複数のキー３を脱着する際に後述する移動子４ｃをガイドするためのもので、図２に示すように側板２の互いに対向する面側の開口幅が狭く、底面側の幅が広い断面がほぼ逆Ｔ字形のＴ溝または蟻溝より形成されていて、ホルダ本体１の長手方向の中心線Ｏ１−Ｏ１に対し角度θ傾斜されており、傾斜角度θは例えば３０°前後となっている。
【００１７】
各ガイド溝２ａ，２ｂの一端側は、側板２の各側面２ｃに互い違いとなるように達していて、側板２の側面２ｃに開口された挿入口２ｄに連通されており、各ガイド溝２ａ，２ｂの他端側は、図６に示すように中心線Ｏ１−Ｏ１と交差する点を越える位置に達していて、中心線Ｏ１−Ｏ１と交差する点がキー３の回動中心Ｏ２となっている。
ホルダ本体１に収納する複数のキー３は、市販されている錠（図示せず）に付属する一般のキーを使用するが、一般のキーは、キーヘッドと呼ばれる頭部３ａの形状が異なるものが多い。
頭部３ａの形状がキー３毎に異なると、各キー３の頭部３ａが不揃いとなってホルダ本体１内へコンパクトに収納できなくなるため、頭部３ａを同じ大きさ及び同じ形状に揃える必要がある。
【００１８】
各キー３の頭部３ａを揃える加工は、加工機械がない一般の使用者にはできないが、錠を新しくしたり増やした場合、スペアキーを鍵屋等に依頼して製作することが多いため、鍵屋等にて頭部３ａを加工するようにすれば、スペアキーを依頼する際に同時に頭部３ａの加工も可能となり、各キー３の頭部３ａが不揃いとなる問題は解消される。
また頭部３ａの形状を揃えたスペアキーの素材を予め鍵屋等に用意しておき、キー３の使用者がこのキー素材を指定してスペアキーの製作を依頼するようにすれば、各キー３の頭部３ａが不揃いとなる問題を解消することができる。
【００１９】
一方ホルダ本体１の各側板２の対向面に形成されたガイド溝２ａ，２ｂの挿入口２ｄから、キー取り付けピン４の両端部に設けられた移動子４ｃを挿入することにより、各側板２を結合すると同時に、キー取り付けピン４に取り付けた１個ないし複数個のキー３を各側板２間に収納できるようになっている。
キー取り付けピン４は図４に示すように、内周面に雌ねじが形成された筒体よりなる雌ねじピン４ａと、雌ねじピン４ａの雌ねじに螺挿自在なビスよりなる雄ねじピン４ｂとからなり、これら雌ねじピン４ａと雄ねじピン４ｂを分離した状態で、キー３の頭部３ａのほぼ中心に穿設されたピン孔３ｂを雌ねじピン４ａに嵌挿し、雌ねじピン４ａに雄ねじピン４ｂを螺挿することにより、キー取り付けピン４に１個ないし複数個のキー３が取り付けられるようになっている。
キー取り付けピン４の両端に設けられた移動子４ｃは、雌ねじピン４ａと雄ねじピン４ｂの各端部に一体に形成されており、互いに平行する二面幅４ｄを有する例えば六角形や四角形に形成されている。
【００２０】
これら移動子４ｃは、側板２の対向面に形成されたガイド溝２ａ，２ｂに、側板２の側面に開口された挿入口１ｃより摺動自在に挿入できるように、大きさが次のように設定されている。
すなわち移動子４ｃの厚さｔ１は、図６に示すようにガイド溝２ａ，２ｂの底面側の幅広な横溝の縦幅Ｗ１より僅かに小さくなっている。
移動子４ｃの互いに平行する二面幅４ｄ部分の幅Ｗ２は、ガイド溝２ａ，２ｂの底面側の幅広な横溝の横幅Ｗ３より僅かに小さく、そして側板２の対向面側に開口する幅狭な縦溝の横幅Ｗ４より大きく設定されていて、ガイド溝２ａ，２ｂに沿ってキー取り付けピン４をスライドさせた際に、二面幅４ｄの部分がガイド溝２ａ，２ｂの幅広な横溝の側面にガイドされて、キー３を取り付けたキー取り付けピン４がスムーズにスライドできると同時に、二面幅４ｄの部分がガイド溝２ａ，２ｂの幅広な横溝の側面に当接することにより、ガイド溝２ａ，２ｂ内で移動子４ｃが回転しないようになっている。
【００２１】
またホルダ本体１の各側板２の中心線Ｏ１−Ｏ１とガイド溝２ａ，２ｂが交差するキー３の回動中心Ｏ２付近には、図７及び図８に示すように、ガイド溝２ａ，２ｂの幅広な横溝の側面の背後をほぼ半月状に肉抜きすることのより、横溝の側面に沿って板ばね状の薄肉部２ｅが形成されており、薄肉部２ｅの横溝側に係止突起２ｆが突設されている。
係止突起２ｆは、キー取り付けピン４の中心がキー３の回動中心Ｏ２に付近に達したのをクリック感で知らせると同時に、キー３の回動中心Ｏ２に移動子４ｃを係止する機能を有しており、薄肉部２ｅの弾性により横溝側へ出没自在となっている。
なお図１ないし図４中５は、一方の側板２の端部に突設された吊り下げ部で、この吊り下げ部５に形成された孔５ａにストラップや鎖等が取り付けられるようになっている。
【００２２】
次に前記構成されたキーホルダの作用を説明する。
図１はホルダ本体１より１個のキー３を突出させた使用状態を示しており、この状態で図示しない錠の鍵穴にキー３を差し込んでホルダ本体１を回転させることにより、施錠したり開錠することができ、ホルダ本体１を握った状態でキー３を回転することができるため、小さな力で錠の施錠や開錠が行える。
錠を替えたり錠の数を増減したためキーの数が増減した場合は、図３に示すキー３を収納した状態から、キー３を増減する側のキー３の束をホルダ本体１から取り出す。
キー３を取り出すには、取り出し側のキー３の一部または全部をキー３の回動中心Ｏ２を中心に回動して、キー３の先端側をホルダ本体１の側方に突出させ、この状態で図３に示すガイド溝２ａ，２ｂ方向（矢印ロ方向）へキー３の先端部を引いてキー３の束をホルダ本体１の外側へ取り出す。
【００２３】
そしてキー取り付けピン４の両端に設けられた移動子４ｃを指で逆方向へ回転して、雌ねじピン４ａに螺挿された雄ねじピン４ｂを雌ねじピン４ａより分離し、この状態で新たなキー３をキー取り付けピン４に取り付け、もしくは不要になったキー３をキー取り付けピン４より取り除くことにより、工具が手近になくともホルダ本体に対しキー３の増減が容易に行える。
キー取り付けピン４へのキー３の増減が完了し、再び雌ねじピン４ａに雄ねじピン４ｂを螺挿したら、ホルダ本体１の側面に開口する挿入口からキー取り付けピン４の両端部に設けられた移動子４ｃをガイド溝２ａ，２ｂへ挿入し、キー３の先端を持ってキー取り付けピン４をガイド溝２ａ，２ｂの奥方へ押し込む。
そして移動子４ｃがガイド溝２ａ，２ｂの側面に突設された係止突起２ｆに達したのを感知したら、さらにキー３を強く押し込むと、移動子４ｃにより係止突起２ｆが押圧されて薄肉部２ｅがガイド溝２ａ，２ｂの外側へ弾性変形し、これによって移動子４ｃが係止突起２ｆを乗り越えるため、キー３を握った手にクリック感が得られるので、その位置でキー３の押し込みを止めると移動子４ｃがキー３の回動中心Ｏ２に達し、キー３の取り付けが完了する。
【００２４】
キー３の取り付けが完了すると、係止突起２ｆにより移動子４ｃがガイド溝２ａ，２ｂ沿って移動するのを係止するため、ホルダ本体１よりキー３を引き出して使用する際に、キー３がホルダ本体１内より不用意に抜け外れることがない上、キー取り付けピン４が各ホルダ本体１を互いに連結しているため、携帯中にホルダ本体１が分離したり、ホルダ本体１よりキー３が勝手に抜け外れる心配がない。
【００２５】
一方ホルダ本体１内に収納された複数のキー３の１個を引き出して錠を開閉する場合は、目的とするキー３をホルダ本体１の側面２ｃ側から摘み出し、キー３の回動中心Ｏ２を中心に図１の矢印イに示す方向へ回動させる。
そして側板２の側面２ｃと一直線状態になったところで、キー３の先端を錠の鍵穴に挿入して錠の開閉を行うもので、各キー３に予め目印、例えば異色に着色したり、記号を刻印したりすることにより、ホルダ本体１から目的とするキー３を容易に引き出すことができる。
【００２６】
なおホルダ本体１に複数のキー３を収納する場合、各キー取り付けピン４に取り付けるキー３の数が異なると、数が少ない方のキー３間に隙間が生じてキー３がホルダ本体１より勝手に出てきてしまうことがある。
これを防止するため、予めキー３の頭部３ａと同じ板厚のスペーサを用意しておき、数の少ないキー３を取り付けるキー取り付けピン４側にスペーサを取り付けて数を合わせるようにすることにより、数が少ない方のキー３がホルダ本体１より勝手に出てきてしまう問題を解決することができる。
【００２７】
また前記実施の形態では、横溝の側面に沿って板ばね状の薄肉部２ｅを形成し、薄肉部２ｅの横溝側に係止突起２ｆを突設したが、図９に示す変形例のように回動中心Ｏ２付近のガイド溝２ａ，２ｂの両側に係止突起２ｇを形成してもよい。
すなわちガイド溝２ｂの両側に形成された薄肉部をほぼ山形に折り曲げ成形して係止突起２ｇを形成することにより、ガイド溝２ａ，２ｂへ移動子４ｃを挿入した際、係止突起２ｇがキー３の頭部３ａと接触するため、クリック感を発生させることができる。
そして頭部３ａが係止突起２ｇを乗り越えたら、その位置でキー３の押し込みを止めることにより、移動子４ｃがキー３の回動中心Ｏ２に停止された状態となり、これによって係止突起２ｇによりキー３の頭部３ａが係止されるため、移動子４ｃがガイド溝２ａ，２ｂ沿って移動されるのを係止することができ、ホルダ本体１よりキー３を引き出して使用する際に、キー３がホルダ本体１内より不用意に抜け外れることがない。
【００２８】
さらに前記実施の形態では、２本あるキー取り付けピン４の両方にキー３を取り付けた場合について説明したが、キー取り付けピン４の一方に複数のキー３を、そして他方にドライバや六角レンチのような工具を予め取り付けておいてもよい。
【符号の説明】
【００２９】
１    ホルダ本体
２    側板
２ａ    ガイド溝
２ｂ    ガイド溝
２ｃ    側面
２ｄ    挿入口
２ｆ    係止突起
３    キー
３ａ    頭部
４    キー取り付けピン
４ａ    雌ねじピン
４ｂ    雄ねじピン
４ｃ    移動子
４ｄ    二面幅
Ｏ２    キー回動中心
【図１】
0005565942.tif 000002
【図２】
0005565942.tif 000003
【図３】
0005565942.tif 000004
【図４】
0005565942.tif 000005
【図５】
0005565942.tif 000006
【図６】
0005565942.tif 000007
【図７】
0005565942.tif 000008
【図８】
0005565942.tif 000009
【図９】
0005565942.tif 000010